Podtech/llm-jp-corpus-v4-ja_patent huggingface dataset:
(57)【要約】【課題】喫煙者の約７割がニコチン依存症でその多くが禁煙を試みたことがあるにもかかわらず失敗している。【解決手段】惰性による喫煙を防止し、喫煙間隔を除除にあけることで体内のニコチン濃度を低下させて、煙草を美味しく味わいながら本数の減少ついには禁煙に至らしめる道具を提供する。【選択図】図１
2007167051.tif 000002
【特許請求の範囲】
【請求項１】
煙草の最小販売単位の包みまたはケースを複数個収納できる容量を有する箱の中に錠  解錠装置  タイムスイッチを設けたことを特徴とする禁煙補助用器。
【発明の詳細な説明】
【技術分野】
【０００１】  本発明は手持ちのたばこを収納し、意図する期間閉じこめて喫煙できなくすることにより禁煙を助けるための道具である。
【背景技術】
【０００２】  健康．環境に及ぼす悪影響から禁煙啓蒙活動が盛んではあるが我が国では成人の喫煙は認められており煙草の製造、販売は禁止されていない。【０００３】  禁煙を促す手段としては健康被害．環境悪化を訴えるもの。代替食品嗜好品などにより喫煙習慣をそらせようとするもの。ニコチンガム、ニコチンパッチ等でニコチン離脱症状から開放させようとするもの。金銭浪費を訴えるものなどがあるがまだまだ多くの挫折者が残る現実をみても禁煙の困難さがわかる。
【発明の開示】
【発明が解決しようとする課題】
【０００４】  そこには次のような問題点があった。
専ら煙草の最小販売単位は２０本である。この事は一本の喫煙で１９本が手元に残りこれの誘惑により次々と手が出て完全に挫折につながる。
本発明はここに着目して問題点を解決するためになされたものである。
【課題を解決するための手段】
【０００５】  煙草の最小販売単位の包みまたはケースを複数個収納できる容量を有する箱の中に錠  解錠装置  タイムスイッチを設けたことを特徴とする禁煙補助用器を供する。
【発明の効果】
【０００６】イ）喫煙願望は当面の欲求なのであって次回、将来の欲求ではない。故にまさに一本喫煙しようとする時に余分を収納し次回の喫煙時間を設定して蓋を閉鎖することに抵抗感は殆どない。また禁煙を志す者は次回までの間隔を過去よりも長めに設定する傾向にある。閉鎖すれば物理的に距離をおくことになり惰性の喫煙はなくなる。
ロ）たまに喫煙すると美味しく味わえることは喫煙者ならよく承知している。本発明を使用中にこの現象が動機となり次第に閉鎖時間を延長する行動につながる。
ハ）まれに、閉鎖中に我慢できず、やむなく煙草を購入してしまった場合でもその残りを次の機会に収納することによりすみやかに禁煙モードにもどることができる。
ニ）喫煙間隔がタイムスイッチの最長設定時間を越えるまでに達すれば電気式のタイマーの例では電源を抜くことでカウントを停止させておく。こうして日、数日、週単位に間隔が開くようになるともう殆んど煙草のことは忘れている。
ホ）このように重大決心の必要もなく、体内のニコチン濃度を少しずつ減らしながら、しかも美味しく味わいながら煙草を減らすことができる。
【発明を実施するための最良の形態】
【０００７】以下、本発明の実施の形態について説明する。
時間計測や解錠の方式には機械式、電気式、あるいはそれらの組み合わせが考えられるがここでは組み合わせの例をとって述べる。
イ）箱（１）は煙草の最小販売単位の包みまたはケースを複数個収納できる容積を有し、かつ内鍵（４）解錠装置（３）タイムスイッチ（５）を内臓する。
ロ）蓋（２）は閉じるとオートロックする内錠（４）により閉鎖される。
ハ）内鍵（４）は解錠装置（３）によってのみ開くことができる。
ニ）解錠装置（３）はタイムスイッチ（５）のタイムアップにより通電．作動する。
ホ）タイムスイッチ（５）は通電時時間カウント、非通電時カウント停止。
ヘ）解錠装置（３）およびタイムスイッチ（５）の給電は遮断、接続が可能。
本発明は以上の構成で、使用するときは、電源入、タイムスイッチがタイムアップの状態で蓋を開き、そこへ今喫煙しようとする一本を除く全ての手持ち分を収納し、同時に次回喫煙しようとするまでの時間をタイムスイッチにセットし蓋を閉じる。
【図面の簡単な説明】
【０００８】
【図１】  本発明の構成要素図
【図２】  本発明の実施例を示す斜視図
【符号の説明】
【０００９】    １  箱
２  蓋
３  解錠機構
４  内錠
５  タイムスイッチ
【図１】
2007167051.tif 000003
【図２】
2007167051.tif 000004
(57)【要約】【課題】何時起こるかわからない災害に備えて非常袋を常備する家庭が増えているが、ペットに対する準備はなされておらず、昨今少子化に伴い家族同様な関係になりつつあるペットのための防災道具をどのような形にするのが良い手段かと考えた。【解決手段】災害時、主人が持ってさえ出れば、簡単にペット自身に装着出来、ベストという直接個々が着るものに防災具を収納する事で、必要なものをペット自身が個々で持て、万が一主人とはぐれたとしても生き延びて再び会える可能性が高くなると考えた。【選択図】図１
2007167025.tif 000002
【特許請求の範囲】
【請求項１】
災害時、非常時に必要な防災具を装備、収納したペット用のベスト。
【発明の詳細な説明】
【技術分野】
【０００１】
本発明は、災害時ペットが必要な防災具を自ら着て運べるベストに関するものである。
【背景技術】
【０００２】
何時起こるかわからない災害に備えて、人間は防災具を準備し、いつでも取り出せるようにしている昨今、
人間であれば避難所に於いて配給こそ受けられるであろうが今や２世帯に１世帯の割合で存在するペットのための
防災具は、見受けない。
【０００３】
ペット用防災袋を見かけた事があるが、実際にご主人がそれを持って出てくれたとしても、当の主人とはぐれた時にその防災具が活かされる意味が無いと考えた。
【発明の開示】
【発明が解決しようとする課題】
【０００４】
単なるペット用防災袋にとどまらず、ペット自ら自身を守る事が出来ないだろうか？と考えた
【課題を解決するための手段】
【０００５】
ベストという直接個々が着るものにする事で、必要なものを個々で持てる。
【発明の効果】
【０００６】
災害時のアンケートなどを見てもペットと暮らしている人たちの殆どが一番に身を案じる対象はペットである。
そのペットとやむなくはぐれたとしても「これを着ていたら生き延びてくれるだろう」との安心感を得られる。
【発明を実施するための最良の形態】
【０００７】
非使用時は壁面などにかけておくことが出来、災害時には外してペットに装着させる。
中にはすでに防災具が装着されており、またリードも収納されているため、避難所近くに繋ぐ事も出来る。
マイクロチップを埋めるポケットも装備、備えておけば何処にいるか探し出す事も可能である。
また、住所・名前・写真を収納するポケットにあらかじめそれらを準備しておく事で家族と引き合わせる確立が高くなる。
【実施例１】
【０００８】
図１はベストを壁に掛けてある状態を示したもので、１の首周りに当たる部分の真ん中にボタンホールのような穴を開け、
針金ハンガーの様な芯を通す事で壁に掛けられる。
緊急時に素早く取り外す事が出来、本体３と、袖を通す４からなる胴体部分に５・６には
オス・メスのマジックテープ（登録商標）を幅を広めに用いる事で多少の体格差に対応、また素早い着脱が可能になる。
７はリードが格納出来るポケットで必要に応じて８のリードを出し入れ出来る。９にはマイクロチップを埋め込める。
１０、１１、１２、１４、１５、１６各ポケットには何が入っているか一目で分かる物とし、それぞれ折りたたみ式水のみボウル、ペット用
乾パン、瓦礫の上を歩くための肉球保護ソックス、サバイバルブランケット、常備薬を収納。１３にはネームと写真を入れ込めるポケットを
付ける。
【実施例２】
【０００９】
図２は壁から外して２を引き抜き、着用させた状態を表した図で、各部分の使い方は上記に順ずる。
【図面の簡単な説明】
【００１０】
【図１】壁にかけてあるときの説明図である。（実施例１）
【図２】実際に着用させた時の説明図である。（実施例２）
【符号の説明】
【００１１】
１    首周り、壁掛け時には此処に針金を通す
２    壁掛け用針金
３    本体
４    袖ぐり
５    マジックテープ（登録商標）オス
６    マジックテープ（登録商標）メス
７    リード格納ポケット
８    リード
９    マイクロチップ格納ポケット
１０    ポケット（折りたたみ式水のみ具入り）
１１    ポケット（ペット用乾パン入り）
１２    ポケット（瓦礫の上を歩けるソックス入り）
１３    ポケット（写真・住所を入れられるスペース）
１４    ポケット（サバイバルブランケット入り）
１５    ポケット（ここには何も入れませんが各自で常備薬を入れるスペース）
１６    ポケット（空のポケット）
【図１】
2007167025.tif 000003
【図２】
2007167025.tif 000004
(57)【要約】【課題】解決しようとする問題点はペットの生理時に家が汚れる事を無くするための生理用服を開発する事、着用しやすくも多少の運動等では脱げない、尚且つナプキンを簡単に交換出来る衣料の開発。【解決手段】両開きファスナーを用いたワンピースにする事で、一度着せるとペットの意思では脱ぐ事が出来ず、図４ボタンを使用することで着せたままナプキンの交換が出来るようになる事で飼い主は家を汚す事無く、不安から開放される。【選択図】図２
2007167026.tif 000002
【特許請求の範囲】
【請求項１】
生理時に着用できるペット用のワンピース。
【発明の詳細な説明】
【技術分野】
【０００１】
本発明は、ペットが生理の時に着用出来るワンピースに関するものである。
【背景技術】
【０００２】
ペットの生理期に家は出血に伴い汚れてしまい、市販されている生理用パンツをはかせても
運動量の多いペットはパンツが脱げてしまう。
【０００３】
特に、多頭飼いをしている場合、他のペットに脱がされてしまう場合もある。
【０００４】
サスペンダーを使用することも考えたが、これも肩幅の無さゆえ脱げ易い。
【特許文献１】特開９−１６７９８８
【特許文献２】実用新案出願平４−３５４２１
【発明の開示】
【発明が解決しようとする課題】
【０００５】
解決しようとする問題点は着用しやすくも多少の運動等では脱げない、
尚且つナプキンを簡単に交換出来る衣料の開発。
【課題を解決するための手段】
【０００６】
ワンピースという一つながりの衣料にする事で、一度着たら主人が脱がせない限りは脱げず、
簡単に装着、着せたままのナプキン交換が可能である。
【発明の効果】
【０００７】
本発明の衣料により、家を汚す事無く、また他のペットなどの力では脱がされる事が無くなったため
飼い主はそのわずらわしさから解放される。
【発明を実施するための最良の形態】
【０００８】
ワンピースは背中部分が開閉式ファスナーとなっており、ペットを立たせたまま腕を通して簡単に装着させる事が
出来、ナプキンをはさんで尻尾を通し、背中のボタンを閉める事で家を汚す心配も無くなる。
【実施例１】
【０００９】
図１は、本発明品の展開図であって、３に両開きファスナーを使用することで脱ぎ着が簡単になり、
４にボタンオス・メスを使うことでナプキン交換が着たまま簡単に行える。図２は装着時の様子を表した。
【図面の簡単な説明】
【００１０】
【図１】わんピースの展開図である。（実施例１）
【図２】ペットに装着させた時の説明図である。（実施例１）
【符号の説明】
【００１１】
１    首まわり
２    袖ぐり
３    両開きファスナー
４    ボタン、オス・メス
５    尻尾穴
６    足ぐり（ギャザー）
７    ナプキン配置箇所
８    腹部縫い合わせ
【図１】
2007167026.tif 000003
【図２】
2007167026.tif 000004
(57)【要約】【課題】自然で旨みに優れた梅酒を含む果実リキュールを製造する方法の提供。【解決手段】米麹を糖化させた米麹糖化液を生果実と共に、焼酎又は清酒に漬け込むことにより、ふくよかで旨みに富む果実リキュールを得ることが出来る。【選択図】  なし【特許請求の範囲】
【請求項１】
米麹を糖化させた米麹糖化液を生果実と共に、焼酎又は清酒に漬け込むことを特徴とする果実リキュールの製造方法。
【発明の詳細な説明】
【技術分野】
【０００１】
本発明は梅酒を含むその他の果実リキュールの製造方法に関し、さらに詳細には米麹の糖化液を使用した、ふくよかで旨味に富む梅酒その他の果実リキュールを製造する方法に関する。
【背景技術】
【０００２】
梅酒を含む果実リキュールの製造方法としては、一般に、焼酎または清酒に梅、サクランボ、イチゴ、リンゴ、カリン、アンズなどの生果実と共に砂糖（特に氷砂糖）を漬け込み、数ヶ月〜数年間ほど熟成させることにより果実中の成分を焼酎または清酒中に浸出させた後、果実を分離する方法で製造されている。果実の量、砂糖の量、熟成期間、果実の分離時期等、様々な方法が試されている。
【０００３】
しかし、従来の醸造酒や蒸留酒に対して、糖類と生の果実を浸漬してその香り・味を酒類中に浸出させて製造するリキュールは、生果実に由来する特徴的なその香り・味の新鮮な風味を酒類に加えることは出来るが、アルコール特有のイガラさが残りやすく、また、例えば果実を原料として発酵させたワインのような深みやコク、円やかさ、熟成した風味に乏しいのが現状である。
【発明の開示】
【発明が解決しようとする課題】
【０００４】
そこで、本発明は、さらにコク深く、ふくらみのある旨味に富む梅酒を含むその他の果実リキュールの製造方法を提供するものである。
【課題を解決するための手段】
【０００５】
前記の目的を達成するため、本発明者は果実リキュールの原材料である糖類に着目し、研究と実験を重ねた結果、米麹と水を混和し糖化させた液糖（以下、米麹糖化液と略称）を用いて製造することにより、米麹の持つ上質な甘味と旨味とが見事に調和し、優れた品質の果実リキュールを製造することができることを見出した。すなわち本発明は、米麹糖化液を焼酎または清酒に生果実と共に漬け込むことを特徴とする製造方法を提供するものである。
【発明の効果】
【０００６】
以上説明した通り、本発明は、米麹の糖化液のもつ種種の旨味物質を利用し、従来よりもさらに、ふくよかで上質で深いコクに富んだ新規な果実リキュールの製造手段を提供しえたことを通じて、食生活の質の向上、さらには果実リキュールの消費拡大に貢献する。
【発明を実施するための最良の形態】
【０００７】
本発明の方法において使用する「米麹糖化液」とは、米麹１に対し水１〜３の比率で含有する混和物を、５０〜５５℃で６〜８時間糖化させることにより製造した後、出来上がった米麹糖化液を濾過し、固液分離する。さらにこの液分を７０℃で加熱殺菌したものが好ましい。
【０００８】
麹糖化液の製造過程において、麹菌の持つ酵素群が米麹の澱粉、蛋白質、脂質等に作用して、グルコースを主として、他にオリゴ糖、マルトースなどの糖質からなり、氷砂糖に比べて米麹からなる深いコクとふくらみある甘みを有し、さらにオリゴ糖についてはその機能性についても期待できるものである。
【０００９】
本発明における生果実としては青梅が最も好ましいが、サクランボ、イチゴ、ブドウ、リンゴ、ナシ、モモ、アンズ、ビワ、カリン、スモモ、ネーブル、ミカン、グレープフルーツ、キウイ、イチジク、コケモモ、レモン、マルメロ、ブルーベリー、ラズベリー、グミ、サルナシ、プルーンなど、一切の生果実が目的のため利用可能である。
【００１０】
本発明の果実リキュールの製造方法は、使用する糖類（米麹糖化液）の種類を除けば常法に準じるが、具体的には以下のようにして製造することができる。すなわち、生果実を水で洗浄後水分を拭き取るか、あるいは洗浄せずその表面を予め拭き清めるかした後、その生果実１重量部に対し、アルコール分２０〜６０％の焼酎または清酒を１〜２重量部、そして前記のように製造された米麹糖化液０．１〜５重量部を加えて、１ヶ月以上漬け込み熟成させる。熟成期間については、生果実からのエキス等の成分抽出の観点からすれば長期間の熟成期間が好ましいが、その果実リキュールの甘味・酸味のバランス等により熟成期間を選択すれば良い。その後、生果実を分離除去することにより果実リキュールが完成される。また、糖類の使用について、米麹糖化液のみの使用だけではなく、氷砂糖などの他糖類との併用も可能である。
【００１１】
米麹糖化液は麹菌酵素による酵素反応により生成される多量かつ多種類の糖とアミノ酸等の有機酸類などの呈味成分を含み、浸漬された果実から溶出されるエキスにより相乗的にリキュールの香味を増強する。しかも米麹糖化液の甘味は他の糖類に比べよりふくよかで、コクのある旨みを有している。 このことは多数のパネラーによる官能評価（表２）においても、本発明の製造法によりつくられた果実リキュールが一般的な氷砂糖のみを用いた果実リキュールに比べて遥かに高品質の果実リキュールと評価された。
【実施例】
【００１２】
以下、実施例挙げて、本発明をより具体的に説明するが、例示は単に説明用のもので、発明思想の制限または限定を意味するものではない。
【００１３】
＜実施例１〜２及び比較例１〜２＞
下表１の組成に基づき、且つ同表記載の条件で２種類の生果実をそれぞれ使用糖類の種類を氷砂糖のみと米麹糖化液のみを使用したものとに分けて、市販の甲類焼酎（アルコール度数３５）に浸漬してリキュールを製造した。
【００１４】
【表１】
2007167030.tif 000002
【００１５】
＜比較官能検査＞
実施例１〜２及び比較例１〜２で製造された各果実リキュール（青梅・サクランボ）をそれぞれ、甘味、酸味、コクの深さ、円やかさについて糖類の使用別に比較したところ、１５名のパネラーの内１２〜１３名が氷砂糖のみを用いたリキュールよりも米麹糖化液を用いたリキュールを高品質と評価した。比較結果集計表を下表２として示す。
【００１６】
【表２】
2007167030.tif 000003
【００１７】
＜糖組成の分析＞
実施例１及び比較例１の梅リキュールの各糖組成を、高速液体クロマトグラフ（DIONEX DX-500、カラム：CarboPacTMPA1）を用いて測定した。結果を図１として示す。表示の通り、米麹糖化液を用いた梅リキュールには氷砂糖のみを用いた梅リキュールには含まれていないイソマルトース（オリゴ糖）が含まれていることが判明した。
【００１８】
＜アミノ酸組成の分析＞
実施例１及び比較例１で得られた各梅リキュール（アルコール度数を各１４％に希釈）と市販の梅酒（有名品：アルコール度数１２％）の各アミノ酸含量を、高速液体クロマトグラフ（日立高速アミノ酸分析計Ｌ-８８００型）を用いて測定した。結果を下表３に示す。表示の通り、本発明に係る梅リキュール（実施例１）は、比較例１及び市販の梅酒に比べて相対的にアミノ酸の含量が多くなる。よって、本発明の果実リキュールはより味わい深く、コクのあることが特徴的である。
【００１９】
【表３】
2007167030.tif 000004
【図面の簡単な説明】
【００２０】
【図１】糖組成分析のグラフである。（実施例１及び比較例１）
【図１】
2007167030.tif 000005
(57)【要約】      （修正有）【課題】寝たきりの人を横向き、上向きさせる位で移動したり運んだりする必要がなく介護人に負担が少ない簡易浴槽を提供する。【解決手段】簡易浴槽はエアーマット２、エアーマクラ３、エアー浴槽形整装置４から構成される。さらに簡易浴槽には空気送入口１、排水口７、止栓１１、およびホース又はパイプに接続する接続具９が取り付けられている。簡易浴槽は、折りたたみが出来、軽く、持ち運びができ、寝たきりの人を容易に、介護人が楽に、入浴させる事が出来る。【選択図】図１
2007167094.tif 000002
【特許請求の範囲】
【請求項１】
寝たきりの人をベットの上で簡単に折りたたみが出来、入浴させられる浴槽。
【発明の詳細な説明】
【技術分野】
【０００１】
本発明は、寝たきりの人を容易に入浴させられる浴槽に関するものである。
【背景技術】
【０００２】
介護用浴槽は、自動車に付いた移動用の浴槽
【０００３】
介護用ベットの下に配置した浴槽
【０００４】
介護用ベットは、リフトによる入浴槽
【発明の開示】
【発明が解決しようとする課題】
【０００５】
解決しようとする問題点は、大がかりな装置が必要である。
【０００６】
解決しようとする問題点は、人の手を多く必要とする。
【課題を解決するための手段】
【０００７】
本発明は、容易に折りたたみが出来て、持ち運びが出来る浴槽
【０００８】
本発明は、普通のベット上、介護用のベット上で寝たきりの人を移動なく使用できる浴槽
【０００９】
本発明は、浴槽の大きさの平らな所で使用できる
【発明の効果】
【００１０】
本発明は、容易に折りたたみが出来る浴槽
【００１１】
本発明は、浴槽の湯の量が少なくてすむ
【００１２】
本発明は、浴槽の場所を余り選ばない
【００１３】
本発明は、介護人が、寝たきりの人が移動なく楽に入浴させる事が出来る。
【発明を実施するための最良の形態】
【００１４】
ベット上で介護人は、浴槽と寝たきりの人を容易にあつかう事が出来る。
【実施例１】
【００１５】
図は、本発明装置の１実施例の平面図であって、２．エアーマット、３．エアーマクラ、４．エアー浴槽形整装置である。
【実施例２】
【００１６】
図２は、本発明装置の左側面図の記号Ｃ、側面を立ち上げる、４．エアー浴槽形整装置である。
【実施例３】
【００１７】
図３は、本発明装置の図１のイ−イ´の断面図であって、図面の左、頭部の底を足部よりエアーにより傾ばいを付け、浴槽の流れを良した装置である。
【実施例４】
【００１８】
図４は、本発明装置の１実施例の正面図で  １．空気送入口、７．排水口、１１．止栓、９．接続具によってホース又は、パイプに接続する装置である。
【実施例５】
【００１９】
図は、発明装置の図１のロ−ロ´の断面図であって、２．エアーマット、３．エアーマクラ、４．エアー浴槽形整装置である。
【実施例６】
【００２０】
図６は、本発明装置の展開図で図１の記号Ｂと図４の記号Ｂ´を内部へ折り込んで、寝たきりの人を横に向け、体の下に敷き、寝たきりの人を上向きにし、記号Ｂ、Ｂ´を立て、
記号１より空気を挿入して、記号１１を止栓をする。
【実施例７】
【００２１】
図２の様に記号４エアーで浴槽形整されて  図１、図５の記号５、６で拡張バンドで固定する。
【実施例８】
【００２２】
図１の記号１３でホースにより給湯する、寝たきりの人を洗う。
【実施例９】
【００２３】
図３の記号１２、７で排水し、寝たきりの人を給湯ホースにより、シャワーで流す。水分を拭き取る。
【実施例１０】
【００２４】
図７展開図、図６展開の順で入浴を終わらせる。
【図面の簡単な説明】
【００２５】
【図１】本発明の実施形態を示す平面図
【図２】同浴槽の左側面図
【図３】同浴槽の図１におけるイ−イ´線断面図
【図４】同浴槽の正面図
【図５】同浴槽の図１ロ−ロ´線断面図
【図６】人体を横にし浴槽内に体を入れる展開図（実施例６）
【図７】図６から浴槽内に人体がおさまった展開図（実施例６）
【符号の説明】
【００２６】
Ａ    簡易浴槽本体の底
Ｂ    簡易浴槽の右側面
Ｃ    簡易浴槽の左側面
Ｂ´  浴槽折畳部
Ｃ´  浴槽折畳部
１    空気送入口
２    エアーマット
３    エアーマクラ
４    エアー浴槽形整装置
５    拡張防止金具
６    拡張防止バンド
７    排水口
８    補強材
９    接続具
１０  排水溝
【図１】
2007167094.tif 000003
【図２】
2007167094.tif 000004
【図３】
2007167094.tif 000005
【図４】
2007167094.tif 000006
【図５】
2007167094.tif 000007
【図６】
2007167094.tif 000008
【図７】
2007167094.tif 000009
(57)【要約】【課題】  従来の熊鈴では、身に着けている人の動きにともなうゆれにより、熊鈴本体が装身具やバッグなどに直接接触するため、熊鈴本体のベルの振動がそれらの接触物により減衰し、効率よくベル音を長く響かせることが難しかった。【解決手段】  熊鈴に保護カバーを設け、振動に必要な空間部を確保した。また、その保護カバー本体に空孔部を設けることで、音のこもりを防ぐとより効果がある。加えて、保護カバーを樹脂性素材とすることで、従来の不具合を防ぐとともに、デザイン性を高めることが可能となった。【選択図】図１
2007167049.tif 000002
【特許請求の範囲】
【請求項１】
保護カバーを設けたことを特徴とする熊鈴
【請求項２】
保護カバー本体部に空孔部を設けたことを特徴とする請求項１に記載の熊鈴
【請求項３】
保護カバーが樹脂性素材である請求項１または２に記載の熊鈴
【発明の詳細な説明】
【技術分野】
【０００１】山で熊や獣に遭遇する危険を事前に排するため、自ら装着し、音を発する熊鈴に関する。
【背景技術】
【０００２】従来の熊鈴は、単に体や装身具、バッグ（荷物入れ）などに装着して、歩くときのゆれにより熊鈴の熊鈴本体のベルがなる仕組みである。【０００３】  最近では、熊鈴の打球部を鉄などの磁性吸着性として、不使用時に磁性体の袋にしまうことで、音がしなくなるように工夫したものがある。あるいは打球部の位置を変えることで、同様に音がしなくなるように工夫した熊鈴も使用されている。【０００４】  また、特開２００１−１７８５０１号にみられるように鈴などを着脱できる地下足袋、実用新案登録公報第３０５５７５６号の熊除け用の鈴を付した山歩き用の靴などにみられるように、履物に付帯することを主眼とした工夫がされた考案などがある。【０００５】  一方では、本発明に属さないが、特開２００５−２９２７５１号にみられるように実際のベル音を半導体メモリーに記憶して、電気的にベル音を発生させる熊鈴などが考案されている。【０００６】
【特許文献１】実用新案登録番号第３０５５７５６号
【特許文献２】特開２００１−１７８５０１号
【特許文献３】特開２００５−２９２７５１号
【発明の開示】
【発明が解決しようとする課題】
【０００７】  しかしながら、従来の熊鈴では、身に着けている人の動きにともなうゆれにより、熊鈴本体が装身具やバッグなどに直接接触するため、熊鈴本体のベルの振動がそれらの接触物により減衰し、ベル音を長く響かせることが難しかった。【０００８】  また、熊鈴本体が金属などの硬質材料で出来ているために、接触する装身具やバッグなどの接触部分が傷むなどの弊害があった。【０００９】  加えて、使用目的の関係で、野外環境にさらされる場合が多く、雨など影響により、熊鈴本体が酸化して、薄汚くなるといったデザイン的劣化も見られていた。【００１０】  前記熊鈴の問題とされていた「接触物による振動の減衰」を少なくすること。加えて「接触物の接触部分をなるべく保護」し、「デザイン的劣化」を防ぐことが本発明の課題である。
【課題を解決するための手段】
【００１１】熊鈴本体に保護カバーを取り付けることで、熊鈴本体の振動の減衰を防いだ。【００１２】一方では、保護カバーにより、音がこもりやすくなる。これを改善するため、さらに、保護カバー本体に空孔部を設けることで、音がこもることなく、大きい音量で長く響かせることが可能となった。【００１３】保護カバーを樹脂性素材とすることで、柔らかく装身具やバッグなどに接触することを可能とした。
【発明の効果】
【００１４】従来にない保護カバーを設けることにより、「接触物による振動の減衰」を防ぐことができ、大きな音で長く響かせることが可能となった。また、雨などによる、「デザイン的劣化」を防ぐことができた。むしろ、デザイン的面で考えると、保護カバー本体の意匠が本発明の熊鈴の意匠の主な部分を占める。そのため、従来鳴り物として、デザイン的に制限があった熊鈴と異なり、さまざまなバリエーションのデザインが可能となる。【００１５】保護カバー本体部に空孔部を設けることで、音のこもりを防ぐことができる。また、その空孔部の場所は任意に選べるために、好きな方向に、指向性を持たせた従来にない熊鈴が可能である。【００１６】保護カバー部本体が樹脂性素材とすることで、柔らかく装身具やバッグなどに接触するために、接触部分が傷むといった弊害をなくすことができる。加えて、樹脂性素材を使用することで、従来にない質感や色彩を選択でき、デザイン的にもさまざまなバリエーションを広げることができる。【００１７】従来衣服の下に熊鈴をつけるといったことは、音がならないためできなかった。しかし、本発明によれば、保護カバーで、熊鈴本体の振動を減衰を防ぐ空間部を確保することができるため、可能となった。例えば、雨などが降り出して、雨具を装着する場合に、熊鈴をあまり意識せずに雨具装着ができるために大変便利である。
【発明を実施するための最良の形態】
【実施例１】
【００１８】図１で説明する。図１は縦断面図である。熊鈴本体（１−１）、打球部（１−２）は真鍮製である。打球支持部（１−３）は真鍮線からなり、打球部（１−２）と熊鈴本体（１−１）とを結ぶために両端部がリング状に形成されている。保護カバー（２）は樹脂性素材であるプラスチックから出来ている。保護カバー（２）が熊鈴本体（１−１）から着脱可能であると便利である。保護カバー（２）と熊鈴本体（１−１）の間に空間部を有することで振動が減衰することなく音の響きが維持される。
【実施例２】
【００１９】図３のように保護カバー本体（２−１）に空孔部（２−２）を設けることで、音がこもらなくて便利である。
この空孔部（２−２）は必ずしも閉じたものである必要はなく、図４のようにスリット状に空孔部（２−２）が形成されてもよく、保護カバー（２）から音がぬける構成であればよい。
【実施例３】
【００２０】図５のように保護カバー本体（２−１）の下部方向に開放部がなく、閉じた保護カバー（２）に空孔部（２−２）がある形態であっても良い。
【図面の簡単な説明】
【図１】  本発明の実施形態を示す縦断面図である。
【図２】  本発明装着時のフリーハンド図である。
【図３】  本発明の実施形態を示すフリーハンドによる見取り図である。
【図４】  本発明の実施形態を示すフリーハンドによる見取り図である。
【図５】  本発明の実施形態を示すフリーハンドによる見取り図である。
【符号の説明】
１        熊鈴
１−１    熊鈴本体
１−２    打球部
１−３    打球支持部
２        保護カバー
２−１    保護カバー本体
２−２    空孔部
３        取付け用のひも
４        バッグ
５        取り付け用リング
【図１】
2007167049.tif 000003
【図２】
2007167049.tif 000004
【図３】
2007167049.tif 000005
【図４】
2007167049.tif 000006
【図５】
2007167049.tif 000007
(57)【要約】      （修正有）【課題】ゲルマニウムは、生体電位を正常にするための働きを示し、また老化現象に特有のアミロイドの発生を抑える作用があるが、このことは認知症発症の主因として挙げられている、フリーラジカルによる脳の組織の損傷やアミロイドタンパク質の脳内沈着を治癒させることを期待させている。しかし従来のゲルマニウムを使用した健康器具には頭部用はない。頭部に装着できるゲルマニウムヘッドギアを提供する。【解決手段】本体Ｕ字型フレーム１の内側にゲルマニウム２を埋め込む。【選択図】図１
2007167598.tif 000002
【特許請求の範囲】
【請求項１】
Ｕ字型フレームにゲルマニウムを埋め込む、またはフレーム自体にゲルマニウムを含有させることを特徴とするゲルマニウム・ヘッドギア
【発明の詳細な説明】
【発明の分野】
【０００１】  この発明は、ゲルマニウムの持つ人間の体内微弱電流の調整を人体の頭部に効果的に生じさせるヘッドギアに関する。
【技術背景】
【０００２】  従来のゲルマニウムを使用した健康器具は、ブレスレット、ネックレス、サポーター等であり、頭部以外に装着して使用するものである。
【発明の開示】
【発明が解決しようとする課題】
【０００３】  しかしながら、以上の方法によれば、ゲルマニウムの持つ人間の体内微弱電流の調整を頭部に直接的に作用させることはできなかった。ゲルマニウムは、生体電位を正常位にするための働きを示し、また老化現象に特有のアミロイドの発生を抑える作用があるが、このことは認知症の発症の主因として挙げられている、フリーラジカルによる組織の損傷やアミロイドタンパク質の脳内沈着などを治癒させる効果も期待されている。そこで、この発明は、効果的に脳内の生体電位を調整させるために、ゲルマニウムを頭部に直接触れさせるヘッドギアを提供することを課題とする。
【発明を解決するための手段】
【０００４】  以上の課題を解決するために、Ｕ字型のフレームの内側にゲルマニウムを埋め込む、またはフレーム自体にゲルマニウムを含有させたことを特徴とするゲルマニウムヘッドギアである。
【発明の効果】
【０００５】  この発明によれば、Ｕ字型のフレームの内側にゲルマニウムを埋め込む、またはフレーム自体にゲルマニウムを含有させたことで、後頭部、前頭部、頭頂部の角度から頭部に装着することが可能であり、ゲルマニウムの持つ生体電位の調整効果を頭部で作用させやすくなる。
【発明を実施するための最良の形態】
【０００６】  この発明の一実施形態を、図１に示す。
本体１はＵ字型に形成されたフレームであり、本体１の内側にはゲルマニウムを埋め込んである
【発明の効果】
【０００７】  この発明の実施形態によれば、本体１はＵ字型に形成されたフレームであり、平均的な人体の頭部に合わせたサイズであり、また弾性があるためクリップ様に広角を変化させることで、頭部に装着することが可能である。本体１の内側にはゲルマニウムを埋め込んであり、頭部に直接触れさせることが可能になることで、ゲルマニウムの持つ生体電位の調整効果を頭部で作用させやすくなる。
【図面の簡単な説明】
【０００８】
【図１】この発明の一実施形態を示す斜視図である。
【符号の説明】
【０００９】１  本体フレーム  ２  ゲルマニウム
【図１】
2007167598.tif 000003
(57)【要約】      （修正有）【課題】一般的に使用されている便座では男性が小便をする際、どうしても便座の外へ尿が飛散し、不衛生かつ悪臭の原因となることを解消するために男性用小型便器を収納した便座を提供する。【解決手段】使用時に便座前方中央部１に収納されている男性用小型便器２を外部へ突出させ使用することにより尿の飛散による不衛生かつ悪臭の原因を解消し、使用後は男性用小型便器２を洗浄することで衛生面も解消し、便座前方中央部１に収納することで便座としての機能性も確保した。【選択図】図１
2007167599.tif 000002
【特許請求の範囲】
【請求項１】
給水ホースや柔らかい筒状の排水管等が接続された男性用小型便器が収納される便座
【発明の詳細な説明】
【技術分野】
【０００１】本発明は、男性による小便時による飛散を解決し、かつ衛生的で従来の用途に差し支えなく使用できる便座である。
【背景技術】
【０００２】従来は男性用の小型便器が併設された便座がなかった。
【発明が解決しようとする課題】
【０００３】一般的に使用されている便座では男性が小便をする際、どうしても便座の外へ尿が飛散し、不衛生かつ悪臭の原因にもなってしまったが、本発明はこの課題を解消するためになされたものである。
【課題を解決するための手段】
【０００４】便座前方中央部１に男性用小型便器２を収納することで機能性を確保させた。
放尿し易い角度を保つため便座接続部３を固定させ、男性用小型便器２を便座の外部へ突出させて使用を容易にした。放尿後は男性用小型便器２に接続されている柔らかい筒状の排水管４を通り排出口１０から便器内へ小便を排出させた。便座を最大限開口した状態で、男性用小型便器２を便座前方中央部１に収納し蓋１２を閉じる。その後、スイッチ１１を押すことで、ウォシュレット用の給水ホースから分岐させた給水ホース５と接続している洗浄口７から水が出て男性用小型便器２を洗浄する。
【発明の効果】
【０００５】小便時に便座前方中央部１に収納されている男性用小型便器２を使用することにより飛散や悪臭の原因を解消し、使用後は男性用小型便器２を洗浄することで、衛生面も解消し便座前方中央部１に収納することで便座としての機能性も確保した。
以下、本発明の実施の形態について説明する。
（イ）．便座前方中央部１に男性用小型便器２を収納させる。
（ロ）．便座前方側面部に取手８を取り付け、便座の角度を保つため便座接続部３を固定させてから設置したスイッチ９を押すことで男性用小型便器２がバネ等の力で便座を外部へ突出させる。また、男性用小型便器２の接続部もツマミ６で上下に微可動する。
（ハ）．男性用小型便器２に柔らかい筒状の排水管４を接続させ排出口１０から便器内へ小便を排出させる。
（ニ）．便座を最大限開口した状態で、男性用小型便器２を便座前方中央部１に収納し蓋１２を閉じる。その後、スイッチ１１を押すことで、ウォシュレット用の給水ホースから分岐させた給水ホース５と接続している洗浄口７から水が出て男性用小型便器２を洗浄する。
【実施例１】
【０００６】便座前方中央部１に男性用小型便器２を収納させる。
便座前方側面部に取手８を取り付け、便座の角度を保つため便座接続部３を固定させてから設置したスイッチ９を押すことで男性用小型便器２がバネ等の力で便座を外部へ突出させる。また、男性用小型便器２の接続部もツマミ６で上下に微可動する。
男性用小型便器２に柔らかい筒状の排水管４を接続させ排出口１０から便器内へ小便を排出させる。
便座を最大限開口した状態で、男性用小型便器２を便座前方中央部１に収納し蓋１２を閉じる。その後、スイッチ１１を押すことで、ウォシュレット用の給水ホースから分岐させた給水ホース５と接続している洗浄口７から水が出て男性用小型便器２を洗浄する。
【図面の簡単な説明】
【０００７】
【図１】本発明の側面図である。
【図２】本発明の使用状態を示す断面図である。
【符号の説明】
【０００８】  １  便座前方中央部
２  男性用小型便器
３  便座接続部
４  柔らかい筒状の排水管
５  給水ホース
６  ツマミ
７  洗浄口
８  取手
９  スイッチ
１０  排出口
１１  スイッチ
１２  蓋
【図１】
2007167599.tif 000003
【図２】
2007167599.tif 000004
(57)【要約】【課題】  雨天時に、留め具を必要とせずにどんな靴の上からでも重ね履きするだけで手軽に足元が濡れるのを防ぎ、重ね履きしていることが目立たず、滑り止めが付いていて安全で、嵩張らず場所を取らない携帯用カバー型ゴム雨靴を提供する。【解決手段】  伸縮自在の薄いゴムで靴下状の靴を作り、足の裏からつま先にかけてゴムの厚みで凸状の滑り止めを設け、足の指付け根の周囲をぐるりと巻く形でベルト状にゴムを補強し、履き口にずり落ち止めのゴムを補強したことを特徴とする携帯用カバー型ゴム雨靴である。  及び、携帯用カバー型ゴム雨靴の踵部分に穴を設け、穴の周囲に輪状にゴムを補強したことを特徴とするハイヒール仕様の携帯用カバー型ゴム雨靴である。【選択図】図１
2007167591.tif 000002
【特許請求の範囲】
【請求項１】
伸縮自在の薄いゴムで靴下状の靴を作り、足の裏からつま先にかけてゴムの厚みで凸状の滑り止めを設け、足の指付け根の周囲をぐるりと巻く形でベルト状にゴムを補強し、履き口にずり落ち止めのゴムを補強したことを特徴とする携帯用のカバー型ゴム雨靴。
【請求項２】
踵部分に穴を設け、穴の周囲に輪状にゴムを補強し、ハイヒールのヒールを通せるようにした請求項１の携帯用カバー型ゴム雨靴。
【発明の詳細な説明】
【技術分野】
【０００１】  本発明は、伸縮自在のゴムで靴下状に作った携帯用カバー型ゴム雨靴に関するものである。
【背景技術】
【０００２】  従来、雨天時には足元が濡れるのを防ぐため、雨の日専用に履く雨靴を使用していた。
近年、靴の上から履けるフリーサイズのビニール製雨靴が考案された（たとえば特許文献１参照）。【０００３】
【特許文献１】  特開２００４−２７５６５６
【発明の開示】
【発明が解決しようとする課題】
【０００４】  そのために次のような問題点があった。
（イ）従来の雨靴は大きく嵩張るので、靴箱や玄関の場所を取り、携帯が困難なため急な雨に対応出来ず、雨が上がった後は目立つので履き続けるのに抵抗があった。
（ロ）足を入れる履き口が大きく作られているので、そこから雨が入ることもあった。
（ハ）フリーサイズのビニール製カバー型雨靴は、留め具が必要で着脱に手間がかかる。
（ニ）ビニール製なので滑りやすい。
（ホ）伸縮しないビニール製のフリーサイズなので大きめに作られており、靴との一体感が無いので履き心地に難点がある。
本発明は、これらの問題を解決するためになされたものである。
【課題を解決するための手段】
【０００５】  伸縮自在の薄いゴムで靴下状の靴を作る。足の裏からつま先にかけてゴムの厚みで凸状の滑り止めを設ける。足の指付け根の周囲をぐるりと巻く形でベルト状にゴムを補強する。履き口にずり落ち止めのゴムを補強する。以上を特徴とする携帯用カバー型ゴム雨靴である。
及び、携帯用カバー型ゴム雨靴の踵部分に穴を設ける。穴の周囲に輪状にゴムを補強する。以上を特徴とするハイヒール仕様の携帯用カバー型ゴム雨靴である。
【発明の効果】
【０００６】（イ）薄くて伸縮自在なので、靴の大きさや形を問わず重ね履きが出来るため、靴との一体感があり、目立たず、履き心地が良い。
（ロ）丸めたり折り畳めたり出来るので嵩張らず、持ち歩きが容易で急な雨にも対応出来る。
（ハ）ゴム製なので水を弾く上に足や靴の形に密着しているので、足や靴が濡れず汚れない。
（ニ）留め具が不要なので、手軽に着脱出来る。
（ホ）歩行の際に最も力が加わる部分をベルト状に厚くしているので、靴と雨靴とがずれ難く、耐久性がある。
（ヘ）つま先部まで凸状の滑り止めを設けているので、ベルト状の厚い部分との相乗効果で安全性が高くなっている。
（ト）ハイソックス状に伸ばして、衣類までカバーすることが出来る。
（チ）ハイヒール仕様のヒールを通す穴の周囲にあるゴムの厚みが、ヒールとのずれを防止し、雨水の浸入を防ぐので、雨の日でも靴を汚さずにハイヒールを履くことが出来る。
（リ）素材にするゴムの種類や耐久性により、使い捨てタイプの携帯用カバー型ゴム雨靴を提供することも出来る。
【発明を実施するための最良の形態】
【０００７】以下、本発明の実施の形態について説明する。
【第一実施例】
（イ）伸縮自在の薄いゴムで、靴下状のカバー型雨靴１を作る。
（ロ）カバー型雨靴１を作る工程で、足の裏全体からつま先にかけてゴムの厚みで凸状の滑り止め２を設ける。
（ハ）カバー型雨靴１の足の指付け根に相当する部分をぐるりと巻くようにゴムを厚くしたずれ防止補強ベルト部３を設ける。
（ニ）カバー型雨靴１の履き口のゴムを厚くしてずり落ち止め４を設ける。
【第二実施例】
第一実施例の工程の後、踵部分に穴５を設け、穴５の周囲に輪状にゴムを厚くしたずれ止め遮水ゴム部６を設けて、ハイヒール仕様のカバー型雨靴７とする。
本発明は以上のような構成で、これを使用するときは、滑り止め２を下にしてずれ止め補強ベルト３が指の付け根部分にかかるように、靴の上から重ね履きで装着して使用する。ハイヒール仕様のカバー型雨靴７は、ヒールを穴５に通して使用する。
凸状の滑り止め２やずれ防止補強ベルト部３、ずり落ち止め４、ずれ止め遮水ゴム部６等の機能が、靴下状のゴムに組み込まれて雨靴を形成しているので、どのような靴を履いていても、重ね履きするだけで手軽に靴や足を防水することが出来る。
【図面の簡単な説明】
【０００８】
【図１】  本発明の側面図
【図２】  本発明の底面図
【図３】  本発明の第二実施例の底面図
【図４】  本発明の使用状態を示す斜視図
【図５】  本発明の第二実施例の使用状態を示す斜視図
【図６】  本発明の第二実施例の使用状態を示す背面斜視図
【図７】  本発明の第二実施例の使用状態を示す部分拡大図
【符号の説明】
【０００９】  １  カバー型ゴム雨靴
２  滑り止め
３  ずれ防止補強ベルト部
４  ずり落ち止め
５  穴
６  ずれ止め遮水ゴム部
７  ハイヒール仕様のカバー型ゴム雨靴
【図１】
2007167591.tif 000003
【図４】
2007167591.tif 000004
【図５】
2007167591.tif 000005
【図６】
2007167591.tif 000006
【図７】
2007167591.tif 000007
【手続補正書】
【提出日】平成18年2月17日(2006.2.17)
【手続補正１】
【補正対象書類名】図面
【補正対象項目名】全図
【補正方法】変更
【補正の内容】
【図１】
2007167591.tif 000008
【図２】
2007167591.tif 000009
【図３】
2007167591.tif 000010
【図４】
2007167591.tif 000011
【図５】
2007167591.tif 000012
【図６】
2007167591.tif 000013
【図７】
2007167591.tif 000014
(57)【要約】      （修正有）【課題】ＤＶＤケースを収納する時に、専用収納ボックス等が満杯には一時的に専用の収納棚以外に収納・整理・展示するための収納補助具を提供する。【解決手段】市販のＤＶＤケースの指掛けの凹部に嵌合可能に形成され、基板１に支持部２を介して先端部にフック３を形成して専用の収納棚が満杯時は、フック３を使って壁面・高所に設置したパイプ等に掛ければ一時的に収納すると共にタイトルとうの確認もし易いＤＶＤケース収納補助具となる。【選択図】図７
2007167594.tif 000002
【特許請求の範囲】
【請求項１】
市販のＤＶＤケースの指掛けの凹部に、嵌合可能に形成された基板に支持部を介して、先端部にフックを形成した事を特徴とするＤＶＤケース収納補助具。
【発明の詳細な説明】
【技術分野】
【０００１】本発明は、ＤＶＤケースを収納する時に、専用の収納棚以外に収納・整理・展示するための収納補助具に関するものである。
【背景技術】
【０００２】従来、ＤＶＤケースの収納には専用のラックや本棚・カラーボックス等を使用し、収納していた。その為、ラック等に入りきらないＤＶＤケースは収納場所がなく、床に積み重ねたり、棚上部に置いたりしていた。また、棚上部に置いた場合、どのようなタイトルのＤＶＤが置かれているのか確認しにくく、確認の為に踏台などに乗って確認するしかなかった。
【発明の開示】
【発明が解決しようとする課題】
【０００３】その為に、次のような問題点があった。
専用の収納棚、又は本棚・カラーボックス等を購入して収納・整理しなければならず、コスト的にも、収納棚を設置するスペース的にも効率が悪かった。
本発明は以上の問題点を解決しようとするものである。
【課題を解決する為の手段】
【０００４】市販のＤＶＤケースの指掛けの凹部に、嵌合可能に形成された基板に支持部を介して先端部にフックを形成した事を特徴とするＤＶＤケース収納補助具である。
【発明の効果】
【０００５】本発明はＤＶＤケースを専用の収納棚等を使用する事なく、壁面・高所に設置したパイプ等に掛け、収納・整理する事が出来る。したがって、新たに専用棚を購入することなくＤＶＤケースを整理する事が出来る。
また、高所に設置したパイプ等に掛けた場合でも、ＤＶＤケースの自重により傾斜する為、視線を少し上げただけでタイトル部分の確認などがしやすくなる為、踏台等を使用しなくても目的のＤＶＤを探すことが出来る。
【発明を実施する為の最良の形態】
【０００６】以下、本発明の実施の形態を説明する。
（イ）市販のＤＶＤケースの指掛けの凹部に嵌合可能に形成され基板（１）上部に傾斜した支持部（２）を設ける。
（ロ）支持部（２）の先端部分にフック（３）を設ける。
本発明は、以上の構成よりなっている。
本発明を使用する時は、上記の収納補助具をＤＶＤケースを開口し、ＤＶＤケース右側部にある凹部（開閉時に指を掛ける部分）にある溝状の部分に基板（１）を装着する。装着後、ＤＶＤケースをしっかりと閉口する事により基板（１）が固定される。再度、ケースを開口しない限り基板（１）は保持される。この結果、壁面及び高所に設置したパイプ等に先端部分のフック（３）により掛ける事が出来る。
【図面の簡単な説明】
【０００７】
【図１】本発明の斜視図
【図２】本発明の正面図
【図３】本発明の背面図
【図４】本発明の右側面図
【図５】本発明の平面図
【図６】本発明の底面図
【図７】本発明の装着方法を示す斜視図
【図８】本発明の使用状態を示す斜視図
【符号の説明】
【０００８】１  基板
２  支持部
３  フック
【図１】
2007167594.tif 000003
【図２】
2007167594.tif 000004
【図３】
2007167594.tif 000005
【図４】
2007167594.tif 000006
【図５】
2007167594.tif 000007
【図６】
2007167594.tif 000008
【図７】
2007167594.tif 000009
【図８】
2007167594.tif 000010
(57)【要約】【課題】  親は人混の中で子供の手を離さなければならない場合においても安心して両手を離すことが出来る接続ベルトを提供する。【解決手段】  幼児が掴まるための把持用リングをキースナップと連結させ親側のズボンベルトループに取り付ける。親子を連結用ゴムベルトで繋げて前記の把持用リングと一体にし同様にベルトループに取り付ける。ゴムテープであるから引っ張られた時のショックを和らげるものであり、また迷子になる危険性もなく安心である。【選択図】図２
2007167600.tif 000002
【特許請求の範囲】
【請求項１】
親や先生などの引率者のベルトやベルトループに装着する装着具と該装着具に連結具を介して幼児がつかまることが出来る位置に吊り下げられた把持用リングとより構成される幼児引率具。
【請求項２】
装着具に伸縮ベルトを介して引率する幼児の体に着脱する幼児用ベルトを設けたことを特徴とする請求項１記載の幼児引率具。
【発明の詳細な説明】
【技術分野】
【０００１】  本発明は親が子供の手を人混みの中で離した時に不安が無くなるようにするものである。
【背景技術】
【０００２】  従来ハーネスのように両手を通しベルトを器具で固定し背中からの紐を持つものや子供の手首と親の手首を平ゴムで繋ぐものはあった。
【特許文献１】特開２００４−４９２６７
【特許文献２】実開昭６１−１９４３６１
【特許文献３】実開昭６３−５２４６８
【特許文献４】実開平０７−１４９５８
【発明が解決しようとする課題】
【０００３】  そのために、次のような問題点があった。特許文献１  特許文献３においては親の手首と子供の手首または腕部分を紐または伸縮自在の紐体で連結するものであるが、親の手は完全に自由にならないものである。特許文献２において現状のものはそれぞれの体が固定されているため、緊急時に身動き取れなくなり事故に対応できない点がある。親の場合ファッションの面からやぼったいという欠点がある。特許文献４においては子供の体に装着するのに手間どり、厚着になった時益々装着しにくくなる。親は伸縮する紐の先端部を手首に装着するものであるが両手は完全に自由ではない。本発明は以上の問題点を解決しようとしたものである。
【課題を解決するための手段】
【０００４】  親や先生などの引率者のベルトやベルトループに装着する装着具と該装着具に連結具を介して幼児がつかまることが出来る位置に吊り下げられた把持用リングとより構成される幼児引率具である。
【発明の効果】
【０００５】    幼児がつかまることが出来る位置に吊り下げられた把持用リングによって親の両手が塞がっていてもこのリングに掴まることで歩く時も乗り物の座席が空いてなく立つことになっても安心できるものである。把持用リングの接続紐は子供の身長の変化や保護者の身長の違いなどがあるためアジャスターを設ける。非常時には手を離すことで対処できる。また掴まっている場合においては腰に引いている負荷がかかり目視しなくても存在を確認できる。昔は両手が塞がり手を引いてもらえない場合親のスカートにつかまって歩いた。しかし現在はピッタリのジーンズで掴まることが出来ず不安定感がある。布テープを子供の腰に取り付けキースナップで親のベルトループに引っ掛け止めることにより親子が連結用ベルトで繋がれるため掴まることの出来ない小さな子供に関してはこのベルトで対処できるようにすることにより幅広い年齢の子供に対応できる。ズボンのベルトループに止める事によって親のファッションに影響を及ぼすものではない。
【発明を実施するための最良の形態】
【０００６】    以下、本発明の実施の形態について図１を利用して説明する。
１  本発明は図１に示すように子供が掴まる為の把持用のリング（１）を長さを調節するためのアジャスター（２）を設けた把持用リング接続紐（３）を介してキーホルダーリング（４）にとりつける。キーホルダーリングとキースナップ（５）とを接続させる。
２  子供装着ベルト（１０）に差込バックル（９）を設け、平ゴム連結用ベルト（７）の一端（８）を子供装着ベルトのどの位置でも自由に移動することが出来るようにゆとりをもって接続する。連結用ベルト（７）の他端のキーホルダー側ベルト接続部（６）をキーホルダーリング（４）に接続する。
本発明は以上の構成よりなる。
これを使用するときは、子供装着ベルト（１０）を子供の腰にまわし差込バックル（９）で止める。連結ベルト（７）も把持用リング（１）もキーホルダーリング（４）で一体になっているからキースナップ（５）をズボンのベルトループにひっかけ止める。キーホルダーリングを用いている事によって不要とする方を外す事が出来る。
【図面の簡単な説明】
【０００７】
【図１】本発明の斜視図
【図２】本発明の使用図
【符号の説明】
【０００８】１    把持用リング
２    アジャスター
３    把持用リングの接続紐
４    キーホルダーリング
５    キースナップ
６    キーホルダー側ベルト接続部
７    連結用ゴムベルト
８    子供側ベルト接続部
９    差込バックル
１０  子供装着ベルト
【図１】
2007167600.tif 000003
【図２】
2007167600.tif 000004